(57)【要約】【課題】表示パネルのフレームへの乗り上げを防止できる表示モジュールを提供する。【解決手段】液晶表示パネル１０と、液晶表示パネル１０の周囲に沿って設けられるフレーム２０とにより構成される表示モジュール１であって、液晶表示パネル１０は、ＴＦＴ基板１１と、ＴＦＴ基板１１の上に積層されたカラーフィルター基板１２とを備えており、カラーフィルター基板１２は、ＴＦＴ基板１１の角部である角部１１ｂのいずれとも重ならない位置にある、角部１２ｂを有しており、フレーム２０には、角部１２ｂからのバリ３０を収納するための凹部２１が設けられている。【選択図】図１
2011102911.tif 000002
【特許請求の範囲】
【請求項１】
表示パネルと、当該表示パネルの周囲に沿って設けられるフレームとにより構成される表示モジュールであって、
上記表示パネルは、
第１の基板と、
上記第１の基板の上に積層された第２の基板とを備えており、
上記第２の基板は、上記第１の基板の角部である第１の角部のいずれとも重ならない位置にある、第２の角部を有しており、
上記フレームには、上記第２の角部からの突起物を収納するための凹部が設けられていることを特徴とする表示モジュール。
【請求項２】
上記第２の角部から、上記凹部が設けられることによりくぼんでいる上記フレームまでの距離をＡとし、上記表示パネルの公差をａとし、上記第２の角部からの突起物の大きさをｂとし、上記フレームの公差をｃとし、かつ上記表示パネルと上記フレームとの組み込みの公差をｄとしたとき、
上記Ａは、下記式（１）
【数１】
2011102911.tif 000005
を満たすことを特徴とする請求項１に記載の表示モジュール。
【請求項３】
上記第２の基板は、上記第１の基板よりも小さいものであり、かつ、その３つの辺が、上記第１の基板における３つの辺と重なるように、上記第１の基板の上に積層されており、
上記第２の角部は、上記第２の基板の辺であって上記第１の基板のいずれの辺とも重ならない辺の両端に位置することを特徴とする請求項１または２に記載の表示モジュール。
【請求項４】
上記フレームには、上記第１の角部からの突起物を収納するための切り欠き部が設けられていることを特徴とする請求項１〜３のいずれか１項に記載の表示モジュール。
【請求項５】
上記第１の基板はＴＦＴ基板であり、
上記第２の基板はカラーフィルター基板であることを特徴とする請求項１〜４のいずれか１項に記載の表示モジュール。
【発明の詳細な説明】
【技術分野】
【０００１】
本発明は、表示パネルとフレームとを備えた表示モジュールに関する。
【背景技術】
【０００２】
中古型液晶表示装置の市場である携帯電話、ＰＤＡなどに用いられるＬＣＤモジュールでは、表示エリアの外側にある額縁の幅を狭く（狭額縁化）することが要求されているため、狭額縁化する技術は、市場での競争力の向上につながることが期待される。
【０００３】
狭額縁化するための技術として、特許文献１には、突起部を有するリアフレームと、当該突起部が貫通する切欠部が形成されたミドルフレームと、当該突起部にて水平方向の位置を規制される表示パネルとを備えた表示装置が記載されている。
【先行技術文献】
【特許文献】
【０００４】
【特許文献１】特開２００７−２３３２５１号公報（２００７年９月１３日公開）
【発明の概要】
【発明が解決しようとする課題】
【０００５】
上述したような表示装置の表示パネルは、一般に複数の大版基板を貼り合わせた後に分断することによって作製されるが、分断する際には、表示パネルの外形にいわゆるバリが発生することがある。そのため、バリが発生した表示パネルをフレームに組み込む際に表示パネルがフレーム上に乗り上げてしまい、表示パネルが破損するなどの問題が起こるため、製造が困難である。
【０００６】
このような問題を回避するために、表示パネルの外形とフレームとの間の距離を広げると、狭額縁化に反し、表示パネルとフレームとにより構成される表示モジュールの外形が大きくなってしまう。また、狭額縁化するためにフレームの幅を狭くすると、強度が低下してしまうことから、フレームは一定の厚みを有することが必要である。
【０００７】
しかし、上述した特許文献１には、このような表示パネルのフレームへの乗り上げを防ぐ方法については記載されていない。
【０００８】
本発明は、上記問題に鑑みてなされたものであり、その目的は、表示パネルのフレームへの乗り上げを防止できる表示モジュールを提供することにある。
【課題を解決するための手段】
【０００９】
上記の課題を解決するために、本発明に係る表示モジュールは、表示パネルと、当該表示パネルの周囲に沿って設けられるフレームとにより構成される表示モジュールであって、上記表示パネルは、第１の基板と、上記第１の基板の上に積層された第２の基板とを備えており、上記第２の基板は、上記第１の基板の角部である第１の角部のいずれとも重ならない位置にある、第２の角部を有しており、上記フレームには、上記第２の角部からの突起物を収納するための凹部が設けられていることを特徴とする。
【００１０】
上記の構成であれば、第２の角部にある突起物がフレームに設けられた凹部に収納されるため、表示パネルがフレームに乗り上げることを防ぐことができるので、容易に製造することができる。また、フレームに凹部を設けることによって、フレームの幅を全体的に狭くする必要がないため強度を維持できるとともに、フレームと表示パネルとの間の距離を広げる必要がないため狭額縁化することもできる。
【００１１】
例えば、第１の基板となる大判基板と、第２の基板となる大判基板とを積層させた後に分断して表示パネルを作製するような場合には、第２の角部に突起物であるバリが発生することがあるが、上述した構成であれば、このようなバリをフレームの凹部に収納することができる。そのため、表示パネルをフレームに取り付ける際には、表示パネルがフレームに乗り上げて破損することなどを防ぐことができる。したがって、表示モジュールを容易に製造することが可能になる。
【００１２】
また、本発明に係る表示モジュールでは、上記第２の角部から、上記凹部が設けられることによりくぼんでいる上記フレームまでの距離をＡとし、上記表示パネルの公差をａとし、上記第２の角部からの突起物の大きさをｂとし、上記フレームの公差をｃとし、かつ上記表示パネルと上記フレームとの組み込みの公差をｄとしたとき、上記Ａは、下記式（１）
【００１３】
【数１】
2011102911.tif 000003
【００１４】
を満たすことが好ましい。
【００１５】
上記の構成であれば、上記凹部は、上記第２の角部からの突起物を確実に収納することができる。
【００１６】
また、本発明に係る表示モジュールでは、上記第２の基板は、上記第１の基板よりも小さいものであり、かつ、その３つの辺が、上記第１の基板における３つの辺と重なるように、上記第１の基板の上に積層されており、上記第２の角部は、上記第２の基板の辺であって上記第１の基板のいずれの辺とも重ならない辺の両端に位置することが好ましい。
【００１７】
また、本発明に係る表示モジュールでは、上記フレームには、上記第１の角部にある突起物を収納するための切り欠き部が設けられていることが好ましい。
【００１８】
上記の構成であれば、第１の角部からの突起物がフレームに設けられた切り欠き部に収納されるため、表示パネルがフレームに乗り上げることを防ぐことができる。
【００１９】
また、本発明に係る表示モジュールでは、上記第１の基板はＴＦＴ基板であり、上記第２の基板はカラーフィルター基板であることが好ましい。
【発明の効果】
【００２０】
本発明に係る表示モジュールは、以上のように、表示パネルと、当該表示パネルの周囲に沿って設けられるフレームとにより構成される表示モジュールであって、上記表示パネルは、第１の基板と、上記第１の基板の上に積層された第２の基板とを備えており、上記第２の基板は、上記第１の基板の角部である第１の角部のいずれとも重ならない位置にある、第２の角部を有しており、上記フレームには、上記第２の角部からの突起物を収納するための凹部が設けられているので、表示パネルのフレームへの乗り上げを防止できる。
【図面の簡単な説明】
【００２１】
【図１】本発明の一実施形態における表示モジュールを示す平面図である。
【発明を実施するための形態】
【００２２】
本発明の一実施形態について、図１を用いて詳細に説明する。図１は、本発明の一実施形態における表示モジュールを示す平面図である。なお、本発明に係る表示モジュールは、例えば携帯電話、ＰＤＡなどの小型電子機器の表示装置に好適に用いることができる。
【００２３】
本実施形態に係る表示モジュール１は、液晶表示パネル１０（表示パネル）と、フレーム２０とにより構成されている。
【００２４】
液晶表示パネル１０は、ＴＦＴ基板１１（第１の基板）とカラーフィルター基板１２（第２の基板）とが貼り合わされ、その間に液晶材料が注入されたものである。
【００２５】
ＴＦＴ基板１１とは、ＴＦＴが設けられた基板である。基板としては、例えばガラス基板を用いることができる。
【００２６】
カラーフィルター基板１２とは、カラーフィルターが設けられた基板である。基板としては、例えばガラス基板を用いることができる。カラーフィルター基板１２は、ＴＦＴ基板１１よりも小さいものであり、３つの辺がＴＦＴ基板１１における３つの辺とそれぞれ重なるように、ＴＦＴ基板１１上に積層されている。これにより、カラーフィルター基板１２は、ＴＦＴ基板１１のいずれの辺とも重ならない辺１２ａの両端であってＴＦＴ基板１１の辺上に、ＴＦＴ基板１１の角部である４つの角部１１ｂ（第１の角部）のいずれとも重ならない位置にある角部１２ｂ（第２の角部）を有する。
【００２７】
フレーム２０は、液晶表示パネル１０の周囲に沿って設けられた額縁部分２０ａと、液晶表示パネル１０が貼り付けられることによって液晶表示パネル１０を背面から支持する板状部分２０ｂとを備えている。フレーム２０の額縁部分２０ａには、凹部２１と切り欠き部２２とが設けられている。
【００２８】
なお、本発明におけるフレームは、額縁部分のみからなるものであってもよい。また、例えば液晶表示パネルのバックライト（光源）としてはたらくバックライトフレームなどであってもよい。
【００２９】
凹部２１は、カラーフィルター基板１２の角部１２ｂからのバリ３０（突起物）を収納するためのものである。凹部２１は、図１に示すように、角部１２ｂに対向するフレーム２０の額縁部分２０ａが、四角形状にくぼむことによって形成される。なお、本発明における凹部は、特にこれに限定されず、第２の角部からの突起物を収納し得るものであれば、どのような形状であってもよい。
【００３０】
切り欠き部２２は、フレーム２０の４つの角にそれぞれ設けられており、ＴＦＴ基板１１の４つの角部１１ｂからのバリ（突起物）を収納するためのものである。なお、本発明における切り欠き部は、図１に示すような形状に限定されず、第１の角部からの突起物を収納し得るものであればどのような形状であってもよい。
【００３１】
バリ３０とは、ＴＦＴ基板１１となる大判基板と、カラーフィルター基板１２となる大判基板とを積層させた後に、液晶表示パネル１０を作製するためにこれらを分断するときに、角部１１ｂ、１２ｂに発生する突起物である。なお、本発明において突起物とは、バリなどのように、製造工程において生じる余分な凸状構造物などをさす。
【００３２】
なお、本実施形態においては、図１に示すように、角部１２ｂにバリ３０が発生した場合について説明するが、本発明においては、突起物は、発生している場合もあるし、発生していない場合もある。
【００３３】
また、凹部２１の大きさは、角部１２ｂからのバリ３０を十分収納できる大きさであればよい。例えば、角部１２ｂから、凹部２１が設けられることによりくぼんでいるフレーム２０までの距離をＡとしたときに、液晶表示パネル１０の公差をａとし、角部１２ｂからのバリ３０の大きさをｂとし、フレーム２０の公差をｃとし、かつ液晶表示パネル１０とフレーム２０との組み込みの公差をｄとすると、Ａは、下記式（１）
【００３４】
【数２】
2011102911.tif 000004
【００３５】
を満たすことが好ましい。これにより、凹部２１は、角部１２ｂからのバリ３０を確実に収納することができる。
【００３６】
ここで、本実施形態におけるＡとは、図１に矢印にて示す長さである。Ａは、凹部２１が設けられることによりくぼんでいる箇所のフレーム２０の額縁部分２０ａの内寸Ｂ（液晶表示パネル１０を挟んだ２つの凹部２１のそれぞれを形成する額縁部分２０ａの間の距離）と、液晶表示パネル１０の短辺方向の長さＣとを用いれば、Ａ＝（Ｂ−Ｃ）／２の式より求めることができる。
【００３７】
また、液晶表示パネル１０の公差及びフレーム２０の公差とは、液晶表示パネル１０及びフレーム２０の製造工程において生じるプロセスのばらつき、いわゆるプロセスばらつきによる誤差の最大値であってもよい。また、液晶表示パネル１０とフレーム２０との組み込みの公差とは、組み込みの際に生じるずれの最大値であってもよい。また、角部１２ｂからのバリ３０の大きさとは、角部１２ｂからバリ３０の先端までの長さであり、例えば、分断方法、材料等に基づき、発生すると予測されるバリ３０の長さの最大値であってもよい。
【００３８】
本実施形態であれば、角部１１ｂ、１２ｂにおいて発生したバリ３０をフレーム２０の凹部２１又は切り欠き部２２に収納することができる。そのため、液晶表示パネル１０をフレーム２０に組み込む際に、液晶表示パネル１０がフレーム２０に乗り上げることを防ぐことができる。したがって、表示モジュール１を容易に製造することが可能になる。
【００３９】
また、フレーム２０に凹部２１を設けることによって、フレーム２０の額縁部分２０ａの幅を全体的に狭くする必要がないため強度を維持できるとともに、フレーム２０の額縁部分２０ａと液晶表示パネル１０との間の距離を広げる必要がないため狭額縁化することもできる。
【００４０】
本実施形態における表示モジュール１は、狭額縁化により表示エリアの外側の領域が小さいため、表示装置に設ける場合には表示装置を小型化することができる。したがって、表示モジュール１は、携帯電話などの小型電子機器に好適に用いることができる。
【００４１】
なお、本実施形態においては、ＴＦＴ基板１１とカラーフィルター基板１２とは、それぞれの３つの辺が重なるように積層されているが、本発明は特にこれに限定されず、２つの辺のみ、または１つの辺のみが重なるように積層されていてもよい。また、本発明において第２の角部の数は上述した２つに特に限定されず、１つであってもよいし、３つ以上であってもよい。また、フレームには、第２の角部の数と同じ数の凹部が設けられることが好ましい。
【００４２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００４３】
本発明に係る表示モジュールは、例えば携帯電話、ＰＤＡなどの小型電子機器の表示装置に好適に用いることができる。
【符号の説明】
【００４４】
１      表示モジュール
１０    液晶表示パネル（表示パネル）
１１    ＴＦＴ基板（第１の基板）
１１ｂ  角部（第１の角部）
１２    カラーフィルター基板（第２の基板）
１２ｂ  角部（第２の角部）
２０    フレーム
２１    凹部
２２    切り欠き部
３０    バリ（突起物）
【図１】
2011102911.tif 000006